(57)【要約】【課題】  ブッシングクロス間の間隔のずれが発生した場合に、ブッシングクロスを介した鍵とピンとの係合状態を適正な状態に容易に調整でき、鍵の適正な回動動作を確保できるとともに、タッチ感を良好に維持することができる鍵盤楽器の鍵盤装置を提供する。【解決手段】  筬８と、筬に立設されたピン１１と、上下方向に貫通する取付け孔１２ａと、上方に向かってテーパ状に形成された外周面１２ｂとを有し、取付け孔１２ａにピン１１を通した状態でピン１１に高さ調整可能に取り付けられた調整部材１２と、下方に開放するとともに互いに対向する左右の壁面４ｃ、４ｃを有するピン係合凹部４と、壁面４ｃ、４ｃにそれぞれ貼り付けられた左右のブッシングクロス４ｄ、４ｄとを有し、ピン係合凹部４が、調整部材１２の外周面１２ｂにブッシングクロス４ｄ、４ｄを介して回動自在に係合する鍵２と、を備えている。【選択図】  図３
2008020773.tif 000002
【特許請求の範囲】
【請求項１】
筬と、
当該筬に立設されたピンと、
上下方向に貫通する取付け孔と、上方に向かってテーパ状に形成された外周面とを有し、前記取付け孔に前記ピンを通した状態で当該ピンに高さ調整可能に取り付けられた調整部材と、
下方に開放するとともに互いに対向する左右の壁面を有するピン係合凹部と、当該左右の壁面にそれぞれ貼り付けられた左右のブッシングクロスとを有し、前記ピン係合凹部が、前記調整部材の前記外周面に前記左右のブッシングクロスを介して回動自在に係合する鍵と、
を備えていることを特徴とする鍵盤楽器の鍵盤装置。
【請求項２】
前記ピン係合凹部は、前記鍵の前後方向の中央に形成されたバランスピン孔で構成され、
前記ピンは、前記鍵の前記バランスピン孔が回動自在に係合するバランスピンで構成されていることを特徴とする請求項１に記載の鍵盤楽器の鍵盤装置。
【請求項３】
前記ピン係合凹部は、前記鍵の下面の前端部に形成されたフロントピン穴で構成され、
前記ピンは、当該フロントピン穴が係合し、押鍵に伴って回動する前記鍵を案内するためのフロントピンで構成されていることを特徴とする請求項１に記載の鍵盤楽器の鍵盤装置。
【発明の詳細な説明】
【技術分野】
【０００１】
本発明は、ピアノなどの鍵盤楽器の鍵盤装置に関する。
【背景技術】
【０００２】
従来の鍵盤楽器の鍵盤装置として、例えば特許文献１に開示されたものが知られている。この鍵盤装置は、鍵盤の前後方向の中央の下側に配置された筬中を有しており、この筬中には、複数のバランスピンが鍵ごとに立設されている。各鍵は、木質材で構成された鍵本体と、その前後方向の中央の部分に上下方向に貫通するバランスピン孔を有しており、バランスピン孔がバランスピンに係合した状態で、筬中に回動自在に支持されている。
【０００３】
バランスピンは、筬中に埋め込まれた下側の円柱状の基部と、基部に対して偏心し、より大きな径を有する上側の円柱状の鍵係合部を一体に有している。また、バランスピン孔は、鍵の底部付近の小幅部と、小幅部の上側に連なるとともに、小幅部の前後両側に延びる大幅部を有している。また、大幅部の左右の壁面から鍵の上面にわたり、左右のブッシングクロスが貼り付けられている。ブッシングクロスは、通常、羊毛などの天然繊維で構成されており、バランスピン孔は、左右のブッシングクロスがバランスピンの鍵係合部に接した状態で、バランスピンに係合している。
【０００４】
この鍵盤装置では、押鍵に伴い、鍵はバランスピンの根元付近を中心として回動し、その際、左右のブッシングクロスは、鍵係合部上を摺動する。それにより、押鍵に伴う雑音が抑制されるとともに、鍵のスムーズな回動が確保される。また、バランスピンの鍵係合部が基部に対して偏心しているので、基部を中心としてバランスピンを筬中に対して強制的に回すことにより、鍵係合部の水平位置が変化し、それにより、鍵の取付け位置を微調整することが可能である。
【０００５】
しかし、この従来の鍵盤装置では、ブッシングクロス間の間隔が所望の間隔からずれることがある。このようなブッシングクロス間の間隔のずれは、鍵盤楽器の製造時における部品の寸法誤差や組立誤差によって、また、鍵盤楽器の長期の使用により、ブッシングクロスが摩耗することによって、さらに、天然繊維で構成されたブッシングクロスが、温度や湿度の変化に伴い膨張または収縮することによって、発生する。
【０００６】
その結果、ブッシングクロス間の間隔が広くなった場合には、バランスピンとの間に隙間が生じ、鍵のがたつきの原因になる。逆に、これらの間隔が狭くなった場合は、鍵の回動がきつくなり、いずれの場合にも、鍵の適正な回動動作を確保できないとともに、鍵のタッチ感にも悪影響を及ぼす。従来においては、このような不具合を解消する方法として、鍵を取り外し、バランスピン孔を切削してその幅を拡大する方法、鍵の木質材に水を含ませ、バランスピン孔の幅を狭める方法や、ブッシングクロスを交換する方法などが用いられているが、このような方法はいずれも、その調整作業が非常に煩雑である。
【０００７】
本発明は、上記のような課題を解決するためになされたものであり、ブッシングクロス間の間隔のずれが発生した場合に、ブッシングクロスを介した鍵とピンとの係合状態を適正な状態に容易に調整でき、それにより、鍵の適正な回動動作を確保できるとともに、タッチ感を良好に維持することができる鍵盤楽器の鍵盤装置を提供することを目的としている。
【０００８】
【特許文献１】特開２００３−３４５３４２号公報
【発明の開示】
【課題を解決するための手段】
【０００９】
上記の目的を達成するために、請求項１に係る発明は、筬と、筬に立設されたピンと、上下方向に貫通する取付け孔と、上方に向かってテーパ状に形成された外周面とを有し、取付け孔にピンを通した状態でピンに高さ調整可能に取り付けられた調整部材と、下方に開放するとともに互いに対向する左右の壁面を有するピン係合凹部と、左右の壁面にそれぞれ貼り付けられた左右のブッシングクロスとを有し、ピン係合凹部が、調整部材の外周面に左右のブッシングクロスを介して回動自在に係合する鍵と、を備えていることを特徴とする。
【００１０】
この鍵盤楽器の鍵盤装置によれば、鍵のピン係合凹部の左右の壁面にブッシングクロスが貼り付けられるとともに、筬に立設されたピンには調整部材が設けられており、ピン係合凹部は、左右のブッシングクロスを介して調整部材に係合している。この調整部材は、その外周面が上方に向かってテーパ状に形成され、取付け孔にピンを通した状態でピンに高さ調整可能に取り付けられている。このため、調整部材の高さ位置を変化させることによって、ピンの所定の高さ位置における調整部材の幅を調整することが可能である。
【００１１】
したがって、鍵盤楽器の長期の使用や温度・湿度の変化などにより、左右のブッシングクロス間の間隔が所望の間隔からずれた場合には、調整部材の高さ位置を調整し、例えばブッシングクロスの下端に相当する調整部材の幅を、ブッシングクロス間の間隔に合致するように調整することによって、ブッシングクロスおよび調整部材を介した鍵とピンとの係合状態を、適正な状態に容易に調整することができる。その結果、鍵のがたつきや回動がきつくなるのを防止でき、それにより、鍵の適正な回動動作を確保できるとともに、タッチ感を良好に維持することができる。
【００１２】
請求項２に係る発明は、請求項１に記載の鍵盤楽器の鍵盤装置において、ピン係合凹部は、鍵の前後方向の中央に形成されたバランスピン孔で構成され、ピンは、鍵のバランスピン孔が回動自在に係合するバランスピンで構成されていることを特徴とする。
【００１３】
この構成によれば、鍵は、その前後方向の中央に形成されたバランスピン孔を介して、バランスピンに取り付けた調整部材に回動自在に係合している。したがって、バランスピン孔に設けたブッシングクロス間の間隔がずれた場合、調整部材の高さ位置を調整するだけで、ブッシングクロスおよび調整部材を介した鍵のバランスピン孔とバランスピンとの係合状態を、適正な状態に容易に調整することができる。その結果、鍵の安定した回動動作を確保できるとともに、タッチ感を良好に維持することができる。
【００１４】
請求項３に係る発明は、請求項１に記載の鍵盤楽器の鍵盤装置において、ピン係合凹部は、鍵の下面の前端部に形成されたフロントピン穴で構成され、ピンは、フロントピン穴が係合し、押鍵に伴って回動する鍵を案内するためのフロントピンで構成されていることを特徴とする。
【００１５】
この構成によれば、鍵は、その下面の前端部に形成されたフロントピン穴を介して、フロントピンに取り付けた調整部材に係合している。したがって、フロントピンに設けたブッシングクロス間の間隔がずれた場合、調整部材の高さ位置を調整するだけで、ブッシングクロスおよび調整部材を介した鍵のフロントピン穴とフロントピンとの係合状態を、適正な状態に容易に調整することができる。その結果、鍵の左右方向のぶれを生じさせることなく、鍵を円滑に案内でき、鍵の安定した回動動作を確保することができる。
【発明を実施するための最良の形態】
【００１６】
以下、本発明の好ましい実施形態を、図面を参照しながら詳細に説明する。図１は、本発明の一実施形態によるアップライトピアノの鍵盤装置を示している。この鍵盤装置１は、多数の白鍵２および黒鍵３（図１にそれぞれ１つのみ図示）から成る鍵１０を備えている。
【００１７】
各白鍵２は、鍵本体２ａと、その前部に取り付けられた白鍵カバー２ｂを有している。鍵本体２ａは、例えばスプルスなどの木質材で構成され、矩形の断面を有し、前後方向に延びている。また、白鍵カバー２ｂは、アクリルなどの合成樹脂の成形品で構成され、Ｌ字形に形成されており、鍵本体２ａの上面前半部および前面に、これらを覆うように貼り付けられている。各黒鍵３は、白鍵２の鍵本体２ａよりも短い鍵本体３ａと、その上面前部に貼り付けられ、フェノールなどの合成樹脂の成形品で構成された黒鍵カバー３ｂを有している。
【００１８】
白鍵２および黒鍵３の他の構成およびこれらを取り付ける構成などは、互いにほぼ同じであるので、以下、これらを代表して白鍵２について説明する。鍵本体２ａの上面後端部には、堅木で構成された先座板６が取り付けられており、各先座板６にはキャプスタン６ａが立設されている。キャプスタン６ａの上側には、白鍵２の押鍵に伴って作動するアクションや、アクションによって駆動され、打弦を行うハンマー（いずれも図示せず）が設けられている。また、鍵本体２ａの上面中央部には、堅木で構成された中座板７が貼り付けられており、鍵本体２ａから中座板７にわたって上下方向に貫通するバランスピン孔４（ピン係合凹部）が形成されている。
【００１９】
図２および図３に示すように、バランスピン孔４は、左右方向に所定の幅を有しており、底部付近の小幅部４ａと、小幅部４ａの上側に連なる大幅部４ｂで構成されている。大幅部４ｂは、中座板７の上面に開口するとともに、小幅部４ａの前後両側に延びている。また、中座板７の上面からバランスピン孔４の左右の壁面４ｃ、４ｃの上部にわたり、左右のブッシングクロス４ｄ、４ｄが断面逆Ｌ字状に貼り付けられている。各ブッシングクロス４ｄは、天然繊維、例えば羊毛で構成されている。
【００２０】
一方、棚板（図示せず）の上面には、鍵本体２ａの中央から前端部にわたって筬８が、鍵本体２ａの後部に相当する位置に筬後９が、それぞれ設けられている。筬８の筬中８ａには、白鍵２および黒鍵３に相当する部位に、複数のピン取付け凹部８ｂが形成されており、各ピン取付け凹部８ｂの中央にはバランスピン１１（ピン）が立設されている。また、筬中８ａの上面には、バランスピン１１およびピン取付け凹部８ｂを取り囲むように、リング状のパンチングクロス８ｅが設けられている。白鍵２は、そのバランスピン孔４がバランスピン１１に係合した状態で、パンチングクロス８ｅを介して筬中８ａに載置されている。また、筬後９の上面には、フェルトで構成された鍵盤枕９ａが貼り付けられており、離鍵状態において、白鍵２の後部が鍵盤枕９ａに着座している。
【００２１】
バランスピン１１は、例えば真鍮で構成されており、図４に示すように、円形の断面を有している。バランスピン１１の上部には、上端部を残して上ねじ部１１ａが形成され、下部には、筬中８ａよりも上側の部分に、下ねじ部１１ｂが形成されている。上ねじ部１１ａには円錐台形状のアジャスタ１２（調整部材）が、下ねじ部１１ｂには円錐台形状のアダプタ１３が、それぞれ取り付けられている。
【００２２】
アジャスタ１２は、上下方向に貫通するねじ孔１２ａ（取付け孔）を有し、このねじ孔１２ａを介して上ねじ部１１ａにねじ込まれている。また、アジャスタ１２の外周面１２ｂは、上方に向かってテーパ状に形成されており、その下端の外径は、バランスピン孔４の左右の壁面４ｃ、４ｃ間の間隔よりも小さく設定されている。アダプタ１３もまた、上下方向に貫通するねじ孔１３ａを有しており、ねじ孔１３ａを介して下ねじ部１１ｂにねじ込まれている。また、アダプタ１３の上端の外径は、アジャスタ１２の下端の径よりも若干大きく、かつ白鍵２の小幅部４ａの前後および左右の壁面との間に所定の若干の間隔を存するように設定されている。
【００２３】
白鍵２は、そのバランスピン孔４がバランスピン１１に設けたアジャスタ１２およびアダプタ１３に回動自在に係合した状態で、筬中８ａに支持されている。この状態では、図３に示すように、左右のブッシングクロス４ｄ、４ｄが、その下端の角部においてのみ、アジャスタ１２の外周面１２ｂに接触している。また、鍵本体２ａが、その下端においてのみ、アダプタ１３の外周面に接触している。
【００２４】
一方、図５および図６に示すように、鍵本体２ａの下面の前端部には、左右方向に所定の幅を有するフロントピン穴５（ピン係合凹部）が形成されている。また、鍵本体２ａの下面からフロントピン穴５の左右の壁面５ａ、５ａにわたり、左右のブッシングクロス５ｂ、５ｂが断面Ｌ字状に貼り付けられている。各ブッシングクロス５ｂは、バランスピン孔４のブッシングクロス４ｄと同じ材質で構成されている。
【００２５】
筬８の筬前８ｃには、白鍵２および黒鍵３に相当する部位に、複数のピン取付け凹部８ｄが形成されており、各ピン取付け凹部８ｄの中央には、フロントピン１４（ピン）が立設されている。また、筬前８ｃの上面には、フロントピン１４およびピン取付け凹部８ｄを取り囲むように、リング状のパンチングクロス８ｅが設けられている。離鍵状態においては、白鍵２の前端部が筬前８ｃの上方に位置し、フロントピン穴５はフロントピン１４の上端部に係合している。  
【００２６】
フロントピン１４は、バランスピン１１と同様、真鍮で構成され、円形の断面を有しており、上下の端部を残してねじ部１４ａが形成されている。このねじ部１４ａには、上下方向に延びる円錐台形状のアジャスタ１５（調整部材）が取り付けられている。アジャスタ１５は、上下方向に貫通するねじ孔１５ａ（取付け孔）を有し、ねじ孔１５ａを介してねじ部１４ａにねじ込まれている。また、アジャスタ１５の外周面１５ｂは、上方に向かってテーパ状に形成されており、その下端の外径は、フロントピン穴５の左右の壁面５ａ、５ａ間の間隔よりも、若干小さく設定されている。
【００２７】
以上の構成の鍵盤装置１では、押鍵に伴い、白鍵２は、バランスピン１１に取り付けたアダプタ１３を中心として回動する。その際、左右のブッシングクロス４ｄ、４ｄは、アジャスタ１２の外周面１２ｂに接触した状態を保ちながら、摺動する。これにより、押鍵に伴って発生する雑音が抑制される。また、鍵本体２ａは、その下端においてアダプタ１３の外周面に接触した状態を保ちながら、摺動する。
【００２８】
この回動の際、白鍵２は、その前端部において、フロントピン穴５の左右のブッシングクロス５ｂ、５ｂを介し、フロントピン１４に取り付けたアジャスタ１５によって案内される。また、図６に一点鎖線で示すように、押鍵の終了時には、ブッシングクロス５ｂ、５ｂが、パンチングクロス８ｅを介して筬前８ｃに当接するとともに、下端の角部においてアジャスタ１５の外周面１５ｂに当接する。これにより、白鍵２は、左右方向にぶれることなく、適正に回動するとともに、所定の押鍵位置に停止する。
【００２９】
次に、図３、図７および図８を参照しながら、白鍵２とバランスピン１１との係合状態をアジャスタ１２によって調整する方法を説明する。図３は、左右のブッシングクロス４ｄ、４ｄ間の間隔が適正でずれが発生していない状態を示している。この状態では、ブッシングクロス４ｄ、４ｄの下端の角部がアジャスタ１２の外周面１２ｂに適度に接触した適正な係合状態になっている。
【００３０】
このような適正な係合状態から、図７に示すように、ブッシングクロス４ｄがその摩耗あるいは温度や湿度の変化によって薄くなることなどで、ブッシングクロス４ｄ、４ｄ間の間隔が広くなった場合には、前述したように、アジャスタ１２との間に隙間が生じ、白鍵２のがたつきなどの原因になる。この場合には、アジャスタ１２を回し、同図に示すように、上方に適距離、移動させる。これにより、ブッシングクロス４ｄ、４ｄとアジャスタ１２との間の隙間が埋められ、前者４ｄ、４ｄが後者１２の外周面１２ｂに適度に接触するようになることで、適正な係合状態を回復することができる。
【００３１】
逆に、図８に示すように、ブッシングクロス４ｄが厚くなり、ブッシングクロス４ｄ、４ｄ間の間隔が狭くなった場合には、白鍵２の回動がきつくなり、鍵の適正な回動を確保できなくなる。この場合には、同図に示すように、アジャスタ１２を下方に適距離、移動させることによって、適正な係合状態を回復することができる。
【００３２】
また、白鍵２の鍵本体２ａが木質材で構成されているため、温度や湿度の変化などによって、バランスピン孔４の幅が変化した場合には、鍵本体２ａとアダプタ１３との適正な係合状態が保てなくなり、やはり白鍵２のがたつきやスティックの原因になる。その場合には、バランスピン孔４の幅の広狭に応じて、アダプタ１３を回し、上下させることにより、鍵本体２ａがその下端においてアダプタ１３の外周面に適度に接触するように調整することで、適正な係合状態を容易に回復することができる。
【００３３】
なお、図示しないが、白鍵２とフロントピン１４との係合状態についても、フロントピン１４に取り付けたアジャスタ１５を回し、その高さ位置を調整することによって、適正な係合状態に容易に調整することができる。この場合、適正な係合状態とは、図６に一点鎖線で示すように、押鍵の終了時に、フロントピン穴５のブッシングクロス５ｂ、５ｂが、パンチングクロス８ｅを介して筬前８ｃに当接するのとほぼ同時に、アジャスタ１５の外周面１５ｂに当接するような状態をいう。
【００３４】
以上のように、本実施形態の鍵盤装置１によれば、上方に向かってテーパ状の外周面１２ｂを有する円錐台形状のアジャスタ１２が、バランスピン１１にねじ込まれているので、バランスピン孔４のブッシングクロス４ｄ、４ｄ間の間隔のずれが発生した場合、アジャスタ１２を回し、その高さ位置を調整することによって、白鍵２とバランスピン１１との係合状態を適正な状態に容易に調整することができる。その結果、白鍵２のがたつきや回動がきつくなるのを防止でき、白鍵２の適正な回動動作を確保できるとともに、タッチ感を良好に維持することができる。
【００３５】
また、フロントピン１４にも同様の円錐台形状のアジャスタ１５がねじ込まれているので、フロントピン穴５のブッシングクロス５ｂ、５ｂ間の間隔がずれた場合、アジャスタ１５の高さ位置を調整するだけで、白鍵２とフロントピン１４との係合状態を、適正な状態に容易に調整することができる。その結果、白鍵２の左右方向のぶれを生じさせることなく、白鍵２を円滑に案内でき、白鍵２の安定した回動を確保することができる。
【００３６】
また、バランスピン孔４の小幅部４ａの幅が、アジャスタ１２の下端の外径よりも大きいので、アジャスタ１２が小幅部４ａに引っ掛かることなく、バランスピン１１に対する白鍵２の着脱を支障なく行うことができ、その結果、アジャスタ１２などの調整作業を容易に行うことができる。
【００３７】
なお、本発明は、上述した実施形態に限定されることなく、種々の態様で実施することができる。例えば、実施形態では、アジャスタ１２、１５およびアダプタ１３を、バランスピン１１またはフロントピン１４に単純にねじ込むことにより取り付けているが、例えば、アジャスタ１２などの下側および上側の少なくとも一方にロックナットをさらに取り付けてもよい。それにより、アジャスタ１２などを、調整した高さ位置を確実に保持することができる。
【００３８】
また、実施形態では、バランスピン１１に取り付けたアダプタ１３を、アジャスタ１２と同様、円錐台形状に形成しているが、これに代えて、一定の径の円柱状に形成してもよい。また、アジャスタ１２、１５およびアダプタ１３を、例えば、硬質のゴムなどで構成し、その取付け孔をピンにきつく嵌めるようにしてもよい。その場合、アジャスタ１２などを強制的に上下方向に移動させることにより、所望の高さ位置に調整することができる。
【００３９】
さらに、実施形態は、本願発明をアップライトピアノの鍵盤装置に適用した例であるが、他の鍵盤楽器、例えば、ピンに係合凹部を介して係合する鍵を有するグランドピアノなどの他の鍵盤楽器に適用してもよい。その他、細部の構成を、本発明の趣旨の範囲内で適宜、変更することが可能である。
【図面の簡単な説明】
【００４０】
【図１】本発明を適用したアップライトピアノの鍵盤装置を示す斜視図である。
【図２】鍵とバランスピンとの係合部分の部分縦断面図である。
【図３】図２に対応する部分横断面図である。
【図４】バランスピンおよびアジャスタなどを分解した状態で示す斜視図である。
【図５】鍵とフロントピンとの係合部分の部分縦断面図である。
【図６】図５に対応する部分横断面図である。
【図７】鍵とバランスピンとの係合状態をアジャスタによって調整する方法を説明するための図である。
【図８】図７と同様の図である。
【符号の説明】
【００４１】
１    鍵盤装置
２    白鍵（鍵）
３    黒鍵（鍵）
４    バランスピン孔（ピン係合凹部）
４ｃ  壁面
４ｄ  ブッシングクロス
５    フロントピン穴（ピン係合凹部）
５ａ  壁面
５ｂ  ブッシングクロス
８    筬
１０    鍵
１１    バランスピン（ピン）
１２    アジャスタ（調整部材）
１２ａ  ねじ孔（取付け孔）
１２ｂ  外周面
１４    フロントピン（ピン）
１５    アジャスタ（調整部材）
１５ａ  ねじ孔（取付け孔）
１５ｂ  外周面
【図１】
2008020773.tif 000003
【図２】
2008020773.tif 000004
【図３】
2008020773.tif 000005
【図４】
2008020773.tif 000006
【図５】
2008020773.tif 000007
【図６】
2008020773.tif 000008
【図７】
2008020773.tif 000009
【図８】
2008020773.tif 000010